(57)【要約】      （修正有）【課題】プレスパートでプレス後の強度が低く取り扱いがデリケートな湿紙を安定して自動的にドライヤーパートに搬送する文書細断屑用古紙再生装置の搬送機構を提供する。【解決手段】再生パルプ懸濁液からの湿紙を運ぶフェルト帯１２と、前記フェルト帯に運ばれる前記湿紙１４をプレスするために相対向して設けられた第一プレスロール１６及び第二プレスロール１８と、前記第二プレスロールに押しつけることにより前記第二プレスロールに貼り付いた前記湿紙を剥がすためのドクターブレード２０と、前記ドクターブレードによって剥がされた前記湿紙が搬送される搬送ベルト２２と、を含み、前記搬送ベルトは上網搬送ローラ２４に掛架された上網２６と下網搬送ローラ２８に掛架された下網３０とから構成され、前記上網搬送ローラよりも前記下網搬送ローラを第二プレスロール側に近接させかつ前記上網搬送ローラと下網搬送ローラとを相対向させて設けるようにした。【選択図】図１
2010106376.tif 000002
【特許請求の範囲】
【請求項１】
古紙を離解して再生パルプ懸濁液とするパルパーと前記再生パルプ懸濁液から再生紙を抄造する抄紙機を含む文書細断屑用古紙再生装置において用いられる搬送機構であって、
再生パルプ懸濁液からの湿紙を運ぶフェルト帯と、
前記フェルト帯に運ばれる前記湿紙をプレスするために相対向して設けられた第一プレスロール及び第二プレスロールと、
前記第二プレスロールに押しつけることにより前記第二プレスロールに貼り付いた前記湿紙を剥がすためのドクターブレードと、
前記ドクターブレードによって剥がされた前記湿紙が搬送される搬送ベルトと、
を含み、
前記搬送ベルトは上網搬送ローラに掛架された上網と下網搬送ローラに掛架された下網とから構成され、
前記上網搬送ローラよりも前記下網搬送ローラを第二プレスロール側に近接させかつ前記上網搬送ローラと下網搬送ローラとを相対向させて設け、前記ドクターブレードの押しつけ位置の下に前記下網の搬送面を位置させることで、前記ドクターブレードによって剥がされた前記湿紙が前記下網上に落下し、前記湿紙が前記下網と前記上網とに挟まれて搬送されるようにしたことを特徴とする文書細断屑用古紙再生装置の搬送機構。
【請求項２】
前記フェルト帯の下方に当接して回転可能に設けられたメッシュ部を有する丸網装置と、
前記メッシュ部の上方に設けられ、前記メッシュ部に、前記再生パルプ懸濁液を噴出するためのヘッドボックスと、
をさらに含み、前記ヘッドボックスから噴出された再生パルプ懸濁液のうち前記メッシュ部上に残った前記再生パルプ懸濁液は湿紙となり前記フェルト帯によって搬送され、
前記ヘッドボックスから供給された再生パルプ懸濁液のうち前記メッシュ部を通過した白水の自由落下により、落下した位置のメッシュ部が洗浄されるようにしたことを特徴とする請求項１記載の文書細断屑用古紙再生装置の搬送機構。
【発明の詳細な説明】
【技術分野】
【０００１】
本発明は、オフィス文書などの古紙を離解して再生パルプ懸濁液とするパルパーと該再生パルプ懸濁液から再生紙を抄造する抄紙機を含むオフィス設置型の文書細断屑用古紙再生装置において用いられる古紙再生装置用の搬送機構に関するものである。
【背景技術】
【０００２】
従来、文書細断屑のリサイクルが充分に図られていないことに鑑み、文書細断屑をトイレットペーパー程度の比較的低い品質の再生紙にリサイクルするのであれば、古紙再生工程の省略化及び装置の小型化・簡略化によって、文書細断屑の再生を企業、官庁、組合、団地或いは地方公共団体等の各組織単位で文書細断屑のリサイクルを可能とし、省資源・省エネルギー化、古紙回収にかかる時間短縮や労力軽減を図るべく、文書細断機によって細断された古紙を攪拌手段を備えたパルパーで離解し再生パルプとする工程と、該再生パルプを常時緩やかに攪拌されているチェストに貯蔵する工程と、該貯蔵された再生パルプを圧力源及び噴射孔を有する噴射装置に充填し、該噴射装置から再生パルプを噴射し、一対のローラを介して回動可能に取りつけられた無端の繊維シートを有する抄紙装置の該繊維シートに吹きかけて再生パルプをシート状にし、該シート状にされた再生パルプを乾燥ローラで乾燥して抄紙する工程とからなる文書細断屑の古紙再生方法が提案されている（特許文献１参照）。
【０００３】
また、本発明者らは、上記提案の実用化する上での種々の問題点を解決すべく、特許文献２に示すような文書細断屑用古紙再生装置を提案した。
【０００４】
特許文献２の文書細断屑用古紙再生装置では、ワイヤーパートで再生パルプ懸濁液を抄紙用の網で脱水し、プレスパートで再生パルプ湿潤シート（湿紙）をプレスし、ドライヤーパートで再生パルプ湿潤シート（湿紙）を乾燥機に通して乾燥させ、リールパートで紙の巻き取りを行うように構成されている。
【０００５】
パルパーによって再生パルプ懸濁液とされ、抄紙工程で紙とされる前の状態のものは、湿紙と呼ばれるが、この湿紙は、強度が低く取り扱いがデリケートである。
【０００６】
しかし、従来の文書細断屑用古紙再生装置の搬送機構では、プレスパートでプレス後の強度が低く取り扱いがデリケートな湿紙を安定してドライヤーパートに搬送することが難しかった。
【特許文献１】特開平１０−３１７２９０号公報
【特許文献２】特開２００６−１６９７１０号公報
【特許文献３】特開２００８−１７９９０７号公報
【発明の開示】
【発明が解決しようとする課題】
【０００７】
本発明は、上記従来技術に鑑みてなされたもので、プレスパートでプレス後の強度が低く取り扱いがデリケートな湿紙を安定して自動的にドライヤーパートに搬送することができるようにした文書細断屑用古紙再生装置の搬送機構を提供することを目的とする。
【課題を解決するための手段】
【０００８】
本発明の文書細断屑計量機構の搬送機構は、古紙を離解して再生パルプ懸濁液とするパルパーと前記再生パルプ懸濁液から再生紙を抄造する抄紙機を含む文書細断屑用古紙再生装置において用いられる搬送機構であって、再生パルプ懸濁液からの湿紙を運ぶフェルト帯と、前記フェルト帯に運ばれる前記湿紙をプレスするために相対向して設けられた第一プレスロール及び第二プレスロールと、前記第二プレスロールに押しつけることにより前記第二プレスロールに貼り付いた前記湿紙を剥がすためのドクターブレードと、前記ドクターブレードによって剥がされた前記湿紙が搬送される搬送ベルトと、を含み、前記搬送ベルトは上網搬送ローラに掛架された上網と下網搬送ローラに掛架された下網とから構成され、前記上網搬送ローラよりも前記下網搬送ローラを第二プレスロール側に近接させかつ前記上網搬送ローラと下網搬送ローラとを相対向させて設け、前記ドクターブレードの押しつけ位置の下に前記下網の搬送面を位置させることで、前記ドクターブレードによって剥がされた前記湿紙が前記下網上に落下し、前記湿紙が前記下網と前記上網とに挟まれて搬送されるようにしたことを特徴とする。
【０００９】
また、前記フェルト帯の下方に当接して回転可能に設けられたメッシュ部を有する丸網装置と、前記メッシュ部の上方に設けられ、前記メッシュ部に、前記再生パルプ懸濁液を噴出するためのヘッドボックスと、をさらに含み、前記ヘッドボックスから噴出された再生パルプ懸濁液のうち前記メッシュ部上に残った前記再生パルプ懸濁液は湿紙となり前記フェルト帯によって搬送され、前記ヘッドボックスから噴出された再生パルプ懸濁液のうち前記メッシュ部を通過した白水の自由落下により、落下した位置のメッシュ部が洗浄されるように構成するのが好適である。
【発明の効果】
【００１０】
本発明によれば、プレスパートでプレス後の強度が低く取り扱いがデリケートな湿紙を安定して自動的にドライヤーパートに搬送することができるようにした文書細断屑用古紙再生装置の搬送機構を提供することができるという著大な効果を奏する。
【００１１】
また、丸網装置のメッシュ部の上方に設けられたヘッドボックスから噴出された再生パルプ懸濁液のうち前記メッシュ部を通過した白水が自由落下することにより、落水した位置のメッシュ部が洗浄されるので、別途に、白水や清水を噴出させるシャワー装置などを設置する必要がなくなるという効果がある。
【００１２】
したがって、本発明の文書細断屑用古紙再生装置の搬送機構を組み込んだ文書細断屑用古紙再生装置を用いれば、文書細断屑の再生を企業、官庁、組合、団地或いは地方公共団体等の各組織単位で行うことができ、焼却・埋め立て処分とされていた文書細断屑のリサイクルが可能となり、省資源・省エネルギー化、古紙回収にかかる時間短縮や労力軽減を図ることができるという大きな効果を奏する。
【発明を実施するための最良の形態】
【００１３】
以下に本発明の実施の形態を添付図面に基づいて説明するが、図示例は例示的に示されたもので、本発明の技術的思想から逸脱しない限り種々の変形が可能なことは言うまでもない。
【００１４】
図１は本発明の文書細断屑用古紙再生装置の搬送機構を文書細断屑用古紙再生装置の一部に組み込んだ様子を示す正面斜視図、図２は図１の正面図、図３は図２の要部拡大図、図４は図３の要部拡大図である。
【００１５】
図１〜図４において、符号１０は本発明に係る文書細断屑用古紙再生装置の搬送機構を示す。本発明の文書細断屑用古紙再生装置の搬送機構１０は、古紙を離解して再生パルプ懸濁液とするパルパーと前記再生パルプ懸濁液から再生紙を抄造する抄紙機を含む文書細断屑用古紙再生装置において用いられる搬送機構であって、再生パルプ懸濁液からの湿紙を運ぶフェルト帯１２と、前記フェルト帯１２に運ばれる前記湿紙１４をプレスするために相対向して設けられた第一プレスロール１６及び第二プレスロール１８と、前記第二プレスロール１８に押しつけることにより前記第二プレスロール１８に貼り付いた前記湿紙１４を剥がすためのドクターブレード２０と、前記ドクターブレード２０によって剥がされた前記湿紙１４が搬送される搬送ベルト２２と、を含む構成とされている。
【００１６】
前記搬送ベルト２２は上網搬送ローラ２４に掛架された上網２６と下網搬送ローラ２８に掛架された下網３０とから構成されている。そして、前記上網搬送ローラ２４よりも前記下網搬送ローラ２８を第二プレスロール１８側に近接させかつ前記上網搬送ローラ２４と下網搬送ローラ２８とを相対向させて設け、前記ドクターブレード２０の押しつけ位置の下に前記下網３０の搬送面３２を位置させることで、前記ドクターブレード２０によって剥がされた前記湿紙１４が前記下網３０上に落下し、前記湿紙１４が前記下網３０と前記上網２６とに挟まれて搬送されるようにされている。
【００１７】
このようにすれば、第一プレスロール１６及び第二プレスロール１８によるプレスパートでのプレス後の強度が低く取り扱いがデリケートな湿紙１４を安定して自動的にドライヤーパートの乾燥チャンバー３４に搬送することができる。乾燥チャンバー３４としては、例えば特許文献３に記載されたものを使用すればよい。また、搬送機構以外の構成については、特許文献２に記載された構成を採用することができる。
【００１８】
なお、符号１０８ａ〜１０８ｐは、乾燥チャンバー３４内に設けられ、搬送ベルト２２が掛架される補助ロールである。符号１１０ａ〜１１０ｆは、乾燥チャンバー３４内に設けられ、搬送ベルト２２、上網２６、下網３０が掛架されるロールである。
【００１９】
また、前記フェルト帯１２の下方に当接して回転可能に設けられたメッシュ部３６を有する丸網装置３８と、前記メッシュ部３６の上方に設けられ、前記メッシュ部３６に、前記再生パルプ懸濁液を噴出するためのヘッドボックス４０と、をさらに含んでいる。
【００２０】
ヘッドボックス４０には供給管５２が設けられており、パルパー装置によってつくられた再生パルプ懸濁液がヘッドボックス４０へと送られる。そして、前記ヘッドボックス４０から噴出された再生パルプ懸濁液のうち前記メッシュ部３６上に残った前記再生パルプ懸濁液は湿紙１４となり前記フェルト帯１２によって搬送され、前記ヘッドボックス４０から噴出された再生パルプ懸濁液のうち前記メッシュ部３６を通過した白水４２の自由落下により、落下した位置のメッシュ部３６’が洗浄されるように構成されている。
【００２１】
このようにすれば、丸網装置３８のメッシュ部３６の上方に設けられたヘッドボックス４０から噴出された再生パルプ懸濁液のうち前記メッシュ部３６を通過した白水４２が自由落下することにより、落水した位置のメッシュ部３６’が洗浄されるので、別途に、白水や清水を噴出させるシャワー装置などを設置する必要がなくなる。符号４４はピックアップロールであり、フェルト帯１２を丸網装置３８のメッシュ部３６に当接させることで湿紙１４がフェルト帯１２上を搬送されるようにしてある。また、フェルト帯１２をガイドするための第一ガイドローラ４８及び第二ガイドローラ５０がそれぞれ設けられている。
【００２２】
また、符号４６は、丸網装置３８の下方に設けられたドレン容器であり、落下した白水４２を回収するためのものである。ドレン容器４６で回収された白水４２は、排水口５４を通り、パルパーでの解離用水として再利用される。
【００２３】
したがって、本発明の文書細断屑用古紙再生装置の搬送機構１０を組み込んだ文書細断屑用古紙再生装置を用いれば、文書細断屑の再生を企業、官庁、組合、団地或いは地方公共団体等の各組織単位で行うことができ、焼却・埋め立て処分とされていた文書細断屑のリサイクルが可能となり、省資源・省エネルギー化、古紙回収にかかる時間短縮や労力軽減を図ることができる。
【図面の簡単な説明】
【００２４】
【図１】本発明の文書細断屑用古紙再生装置の搬送機構を文書細断屑用古紙再生装置の一部に組み込んだ様子を示す正面斜視図である。
【図２】図１の正面図である。
【図３】図２の要部拡大図である。
【図４】図３の要部拡大図である。
【符号の説明】
【００２５】
１０：本発明に係る文書細断屑用古紙再生装置の搬送機構、１２：フェルト帯１２、１４：湿紙、１６：第一プレスロール、１８：第二プレスロール、２０：ドクターブレード、２２：搬送ベルト、２４：上網搬送ローラ、２６：上網、２８：下網搬送ローラ、３０：下網、３２：搬送面、３４：乾燥チャンバー、３６：メッシュ部、３６’：白水落下位置のメッシュ部、３８：丸網装置、４０：ヘッドボックス、４２：白水、４４：ピックアップロール、４６：ドレン容器、４８：第一ガイドローラ、５０：第二ガイドローラ、５２：供給管、５４：排水口、１０８ａ〜１０８ｐ：ロール、１１０ａ〜１１０ｆ：補助ロール。
【図１】
2010106376.tif 000003
【図２】
2010106376.tif 000004
【図３】
2010106376.tif 000005
【図４】
2010106376.tif 000006